(57)【要約】  アスペクト比が４：３の画像の左右に付加される左右サイドマスクを正確に検出し、同画像をアスペクト比が１６：９の画像に拡大して表示するプラズマ表示装置を提供する。  左右サイドマスク検出部１により、第１サイズの画像と各サイドマスクとの各境界部分及び近辺の所定の領域について、入力映像信号ｖｉの１の画素の輝度信号レベルと同１の画素の水平方向の一方に隣接する画素の輝度信号レベルとの差分絶対値が算出され、同各差分絶対値が同入力映像信号ｖｉの垂直方向に累積され、累積結果に基づいて第１サイズの画像及び各サイドマスクの有無が検出され、処理データ量及び回路規模が低減されると共に高速で処理される。また、左右サイドマスク検出時定数処理部３で、サイドマスク検出部２からの画像検出信号ｖｄが時定数処理されるので、サイドマスクが正確に検出され、不必要にアスペクト比が変化せず、ＰＤＰ５の残像が防止される。
2008139542.tif 000002
【特許請求の範囲】
【請求項１】
第１のアスペクト比を有する第１サイズの画像及び該第１のアスペクト比よりも横長の第２のアスペクト比を有する第２サイズの画像を表示可能な表示パネルと、
入力映像信号に基づいて、前記第２サイズの画像中に前記第１サイズの画像及び該第１サイズの画像の左右に付加される左右サイドマスクがあることを検出したとき、前記第１サイズの画像を前記第２サイズの画像に変換して出力映像信号として前記表示パネルへ送出する画像変換手段とを備えてなる画像表示装置であって、
前記画像変換手段は、
前記第１サイズの画像と前記左右サイドマスクとの各境界部分及び近辺の所定の領域について、前記入力映像信号の１の画素の特徴量と前記１の画素の水平方向の一方に隣接する画素の特徴量との差分絶対値を算出して前記各差分絶対値を該入力映像信号の垂直方向に累積し、この累積結果に基づいて前記第１サイズの画像及び前記左右サイドマスクの有無を検出する画像検出手段が設けられていることを特徴とする画像表示装置。
【請求項２】
前記特徴量は、
当該画素に対応する輝度信号レベル、赤，緑，青原色信号の各原色信号レベル又はこれらの加算値、又は、前記各原色信号レベルから前記輝度信号レベルを減じた各色差信号レベル又はこれらの加算値であることを特徴とする請求項１記載の画像表示装置。
【請求項３】
前記画像検出手段は、
前記累積結果のピーク値及び平均値を算出し、その差分値が基準値以上で、かつ、前記ピーク値が発生した画素の位置が前記第１サイズの画像と前記左右サイドマスクとの各境界部分にあると想定される場合に、前記第２サイズの画像中に前記第１サイズの画像及び前記左右サイドマスクがあることを検出する構成とされていることを特徴とする請求項１又は２記載の画像表示装置。
【請求項４】
前記画像変換手段は、
前記画像検出手段で前記第２サイズの画像中に前記第１サイズの画像及び前記左右サイドマスクがあることが所定時間以上継続して検出されたとき、当該画像変換手段に前記第１サイズの画像を前記第２サイズの画像に変換させる時定数処理手段が設けられていることを特徴とする請求項１、２又は３記載の画像表示装置。
【請求項５】
表示パネルと、
入力映像信号に基づいて、該表示パネルに表示される画像の上下に付加される上下サイドマスクがあることを検出したとき、前記画像のサイズを前記表示パネルの表示画面のサイズに変換して出力映像信号として前記表示パネルへ送出する画像変換手段とを備えてなる画像表示装置であって、
前記画像変換手段は、
前記画像と前記上下サイドマスクとの各境界部分及び近辺の所定の領域について、前記入力映像信号の１の画素の特徴量と前記１の画素の垂直方向の一方に隣接する画素の特徴量との差分絶対値を算出して前記各差分絶対値を該入力映像信号の水平方向に累積し、この累積結果に基づいて前記上下サイドマスクの有無を検出する上下サイドマスク検出手段が設けられていることを特徴とする画像表示装置。
【請求項６】
前記特徴量は、
当該画素に対応する輝度信号レベル、赤，緑，青原色信号の各原色信号レベル又はこれらの加算値、又は、前記各原色信号レベルから前記輝度信号レベルを減じた各色差信号レベル又はこれらの加算値であることを特徴とする請求項５記載の画像表示装置。
【請求項７】
前記上下サイドマスク検出手段は、
前記累積結果のピーク値及び平均値を算出し、その差分値が基準値以上で、かつ、前記ピーク値が発生した画素の位置が前記画像と前記上下サイドマスクとの各境界部分にあると想定される場合に、前記画像の上下に前記上下サイドマスクがあることを検出する構成とされていることを特徴とする請求項５又は６記載の画像表示装置。
【請求項８】
前記画像変換手段は、
前記上下サイドマスク検出手段で前記画像の上下に前記上下サイドマスクがあることが所定時間以上継続して検出されたとき、当該画像変換手段に前記画像のサイズを前記表示パネルの表示画面のサイズに変換させる時定数処理手段が設けられていることを特徴とする請求項５、６又は７記載の画像表示装置。
【請求項９】
表示画面と、入力映像信号に基づいて、該表示画面に表示される画像の左右に付加される左右サイドマスク又は上下に付加される上下サイドマスクが存在する映像であるかを分析し、前記左右サイドマスク又は上下サイドマスクが存在することを検出したとき、前記入力映像信号の前記表示画面上に表示されるアスペクトを異ならせるアスペクト変換回路とを備えてなる画像表示装置に用いられる画像変換方法であって、
前記アスペクト変換回路が、前記画像と前記左右サイドマスクとの各境界部分及び前記境界部分の近傍を含む所定の領域について、前記入力映像信号の１の画素の特徴量と前記１の画素の水平方向の一方に隣接する画素の特徴量との差分絶対値を算出して前記各差分絶対値を該入力映像信号の垂直方向に累積するステップ、または、前記アスペクト変換回路が、前記画像と前記上下サイドマスクとの各境界部分及び前記境界部分の近傍を含む所定の領域について、前記入力映像信号の１の画素の特徴量と前記１の画素の垂直方向の一方に隣接する画素の特徴量との差分絶対値を算出して前記各差分絶対値を該入力映像信号の水平方向に累積するステップを有し、
前記累積結果に基づいて前記左右サイドマスク又は前記上下サイドマスクの有無を検出することを特徴とする画像変換方法。
【請求項１０】
前記特徴量は、
当該画素に対応する輝度信号レベル、赤，緑，青原色信号の各原色信号レベル又はこれらの加算値、又は、前記各原色信号レベルから前記輝度信号レベルを減じた各色差信号レベル又はこれらの加算値であることを特徴とする請求項９記載の画像変換方法。
【請求項１１】
前記垂直方向に累積した累積結果に基づいて、該累積結果のピーク値及び平均値を算出し、その差分値が基準値以上で、かつ、前記ピーク値が発生した画素の位置が前記画像と前記左右サイドマスクとの各境界部分にあると想定される場合に、前記画像の左右に前記左右サイドマスクがあることを検出する、又は、前記水平方向に累積した累積結果に基づいて、該累積結果のピーク値及び平均値を算出し、その差分値が基準値以上で、かつ、前記ピーク値が発生した画素の位置が前記画像と前記上下サイドマスクとの各境界部分にあると想定される場合に、前記画像の上下に前記上下サイドマスクがあることを検出することを特徴とする請求項９又は１０記載の画像変換方法。
【請求項１２】
前記画像の左右に前記左右サイドマスクがあることが所定時間以上継続して検出されたとき、又は、前記画像の上下に前記上下サイドマスクがあることが所定時間以上継続して検出されたとき、前記入力映像信号の前記表示画面上に表示されるアスペクトを異ならせることを特徴とする請求項９、１０又は１１記載の画像変換方法。
【発明の詳細な説明】
【技術分野】
【０００１】
この発明は、画像表示装置及び該画像表示装置に用いられる画像変換方法に係り、たとえば、アスペクト比が４：３の画像に対応した映像信号を入力してアスペクト比が１６：９の画像に拡大して表示する場合や、画像の上下にサイドマスクがある映像信号を入力して同サイドマスクのない画像に拡大して表示する場合に用いて好適な画像表示装置及び該画像表示装置に用いられる画像変換方法に関する。
【背景技術】
【０００２】
プラズマテレビなどのプラズマ表示装置では、アスペクト比が１６：９の表示部（プラズマディスプレイパネル、ＰＤＰ）にアスペクト比が４：３の画像をそのまま表示する場合、画像の左右にサイドマスク（以下、「左右サイドマスク」という）が付加された擬似１６：９画像として表示される。ところが、この擬似１６：９画像がそのまま長時間又は繰り返し表示されると、ＰＤＰにおいて、放電を行っているセルと、行っていないセルとの間で、蛍光体の劣化の進行に差が発生するため、残像（焼き付き）が発生することがある。このため、通常のプラズマ表示装置では、アスペクト比が４：３の画像に対応した映像信号が入力されたとき、アスペクト比を１６：９に拡大することにより、左右サイドマスクがない画像を表示するようになっている。この場合、表示される画像は、画面の中程では、アスペクト比が４：３の画像とほぼ同様であるが、画面の両端に近付くに連れて横方向に漸次拡大されたものとなることが多い。【０００３】
従来、この種の技術としては、たとえば、特許文献１に記載されたものがある。
特許文献１に記載された放送受信装置では、サイドパネル検出部により、ハイビジョン放送の映像信号が受信され、同映像信号が擬似１６：９画像に対応する場合、擬似１６：９画像のサイドパネル（サイドマスク）に相当する部分について、黒や暗い色の検出又は静止画の検出が行われる。サイドパネル検出部でサイドパネルが検出されたとき、サイドパネルカット部により、サイドパネルがカットされ、伸張処理部により、サイドパネルがカットされた映像信号に対して、アスペクト比を４：３から１６：９とする伸張処理が施されてモニタに送出される。【０００４】
また、特許文献２に記載された放送受信装置では、信号波形情報検出回路により、受信映像に基づいてサイドパネル相当部分及び非サイドパネル相当部分の映像が単色か否かが検出される。動画／静止画情報検出回路により、サイドパネル相当部分及び非サイドパネル相当部分の映像について動画／静止画検出が行われる。マイクロコンピュータにより、上記単色検出の結果及び動画／静止画検出の結果に基づいてサイドパネルの有無が判定され、サイドパネル有りと判定されたとき、受信映像からサイドパネルを外すようにスケーラに指示される。【０００５】
また、特許文献３に記載されたワイドテレビジョン受像機では、アスペクト比４：３の表示画面中に、アスペクト比１６：９の画像と上下部分に無画像（上下サイドマスク）とが存在するビスタソースによる画像が表示される他、アスペクト比１６：９の表示画面中に、さらに上下サイドマスクが存在する画像が表示されるなど、垂直方向の範囲が異なる種々の態様の画像が表示される。
【特許文献１】特開２００５- ６５１０６号公報（第６頁、図１）
【特許文献２】特開２００３−２２４７８５号公報（要約書、図１）
【特許文献３】特許第２９５３２８０号公報（第３頁、図４、図５、図６）
【発明の開示】
【発明が解決しようとする課題】
【０００６】
しかしながら、上記従来の技術では、次のような問題点があった。
すなわち、特許文献１に記載された放送受信装置では、サイドパネル検出部により、サイドパネルに相当する部分について、黒や暗い色の検出又は静止画の検出が行われるが、サイドパネルの部分は、黒に代表されるような暗い映像とは限らず、明るい映像や柄付きの明るい映像も多々ある。また、サイドパネルの部分は、必ずしも静止画とは限らず、主画面と同期して変化する動画のサイドパネルも実際に放送されている。また、サイドパネルの検出が所定時間継続するか否かが明確ではない。このため、サイドパネル検出部では、サイドパネルを正確に検出することができないという問題点がある。本発明が解決しようとする課題としては、この問題点が一例として挙げられる。【０００７】
また、特許文献２に記載された放送受信装置では、マイクロコンピュータにより、単色検出の結果及び動画／静止画検出の結果に基づいてサイドパネルの有無が判定されるので、特許文献１とほぼ同様の問題点がある。【０００８】
また、特許文献３に記載されたワイドテレビジョン受像機では、上下サイドマスクの検出について、上述のサイドパネルの検出と同様の問題点がある。
【課題を解決するための手段】
【０００９】
上記課題を解決するために、請求項１記載の発明は、第１のアスペクト比を有する第１サイズの画像及び該第１のアスペクト比よりも横長の第２のアスペクト比を有する第２サイズの画像を表示可能な表示パネルと、入力映像信号に基づいて、前記第２サイズの画像中に前記第１サイズの画像及び該第１サイズの画像の左右に付加される左右サイドマスクがあることを検出したとき、前記第１サイズの画像を前記第２サイズの画像に変換して出力映像信号として前記表示パネルへ送出する画像変換手段とを備えてなる画像表示装置に係り、前記画像変換手段は、前記第１サイズの画像と前記左右サイドマスクとの各境界部分及び近辺の所定の領域について、前記入力映像信号の１の画素の特徴量と前記１の画素の水平方向の一方に隣接する画素の特徴量との差分絶対値を算出して前記各差分絶対値を該入力映像信号の垂直方向に累積し、この累積結果に基づいて前記第１サイズの画像及び前記左右サイドマスクの有無を検出する画像検出手段が設けられていることを特徴とする。【００１０】
請求項５記載の発明は、表示パネルと、入力映像信号に基づいて、該表示パネルに表示される画像の上下に付加される上下サイドマスクがあることを検出したとき、前記画像のサイズを前記表示パネルの表示画面のサイズに変換して出力映像信号として前記表示パネルへ送出する画像変換手段とを備えてなる画像表示装置に係り、前記画像変換手段は、前記画像と前記上下サイドマスクとの各境界部分及び近辺の所定の領域について、前記入力映像信号の１の画素の特徴量と前記１の画素の垂直方向の一方に隣接する画素の特徴量との差分絶対値を算出して前記各差分絶対値を該入力映像信号の水平方向に累積し、この累積結果に基づいて前記上下サイドマスクの有無を検出する上下サイドマスク検出手段が設けられていることを特徴とする。【００１１】
請求項９記載の発明は、表示画面と、入力映像信号に基づいて、該表示画面に表示される画像の左右に付加される左右サイドマスク又は上下に付加される上下サイドマスクが存在する映像であるかを分析し、前記左右サイドマスク又は上下サイドマスクが存在することを検出したとき、前記入力映像信号の前記表示画面上に表示されるアスペクトを異ならせるアスペクト変換回路とを備えてなる画像表示装置に用いられる画像変換方法に係り、前記アスペクト変換回路が、前記画像と前記左右サイドマスクとの各境界部分及び前記境界部分の近傍を含む所定の領域について、前記入力映像信号の１の画素の特徴量と前記１の画素の水平方向の一方に隣接する画素の特徴量との差分絶対値を算出して前記各差分絶対値を該入力映像信号の垂直方向に累積するステップ、または、前記アスペクト変換回路が、前記画像と前記上下サイドマスクとの各境界部分及び前記境界部分の近傍を含む所定の領域について、前記入力映像信号の１の画素の特徴量と前記１の画素の垂直方向の一方に隣接する画素の特徴量との差分絶対値を算出して前記各差分絶対値を該入力映像信号の水平方向に累積するステップを有し、前記累積結果に基づいて前記左右サイドマスク又は前記上下サイドマスクの有無を検出することを特徴とする。
【図面の簡単な説明】
【００１２】
【図１】この発明の第１の実施例である画像表示装置の要部の電気的構成を示すブロック図である。
【図２】図１中のＰＤＰ５の要部の構造を示す図である。
【図３】左右サイドマスク検出部１の動作を説明する図である。
【図４】左右サイドマスク検出部１の動作を説明する図である。
【図５】左右サイドマスク検出時定数処理部３の動作を説明する図である。
【図６】この発明の第２の実施例であるプラズマ表示装置の要部の電気的構成を示すブロック図である。
【符号の説明】
【００１３】
１      左右サイドマスク検出部（画像変換手段の一部、画像検出手段、アスペクト変換回路の一部）
２      メモリ（画像変換手段の一部、時定数処理手段の一部、アスペクト変換回路の一部）
３      左右サイドマスク検出時定数処理部（画像変換手段の一部、時定数処理手段の一部、アスペクト変換回路の一部）
４      スケーラ（画像変換手段の一部、アスペクト変換回路の一部）
５      ＰＤＰ（表示パネル）
１１      上下サイドマスク検出部（画像変換手段の一部、上下サイドマスク検出手段、アスペクト変換回路の一部）
１２      メモリ（画像変換手段の一部、時定数処理手段の一部、アスペクト変換回路の一部）
１３      上下サイドマスク検出時定数処理部（画像変換手段の一部、時定数処理手段の一部、アスペクト変換回路の一部）
１４      スケーラ（画像変換手段の一部、アスペクト変換回路の一部）
【発明を実施するための最良の形態】
【００１４】
画像検出手段により、第１サイズの画像と左右サイドマスクとの各境界部分及び近辺の所定の領域について、入力映像信号の１の画素の特徴量と同１の画素の水平方向の一方に隣接する画素の特徴量との差分絶対値が算出され、同各差分絶対値が同入力映像信号の垂直方向に累積され、この累積結果に基づいて第１サイズの画像及び左右サイドマスクの有無が検出される。このため、処理データ量を低減でき、回路規模を削減できると共に高速で処理を行うことができる。また、時定数処理手段により、画像検出手段による検出結果が時定数処理されるので、左右サイドマスクを正確に検出でき、不必要にアスペクト比が変わることを防止できると共に、表示パネルがＰＤＰであれば、残像（焼き付き）を防止できる。【００１５】
また、上下サイドマスク検出手段により、表示パネルに表示される画像と上下サイドマスクとの各境界部分及び近辺の所定の領域について、入力映像信号の１の画素の特徴量と同１の画素の垂直方向の一方に隣接する画素の特徴量との差分絶対値が算出されて同各差分絶対値が同入力映像信号の水平方向に累積され、この累積結果に基づいて上下サイドマスクの有無が検出される。このため、処理データ量を低減でき、回路規模を削減できると共に高速で処理を行うことができる。また、時定数処理手段により、上下サイドマスク検出手段による検出結果が時定数処理されるので、上下サイドマスクを正確に検出でき、不必要にアスペクト比が変わることを防止できると共に、表示パネルがＰＤＰであれば、残像（焼き付き）を防止できる。
【実施例１】
【００１６】
図１は、この発明の第１の実施例である画像表示装置の要部の電気的構成を示すブロック図である。
この例の画像表示装置は、同図に示すように、プラズマ表示装置であり、左右サイドマスク検出部１と、メモリ２と、左右サイドマスク検出時定数処理部３と、スケーラ４と、ＰＤＰ５とから構成されている。ＰＤＰ５は、第１のアスペクト比４：３を有する第１サイズの画像、及び第２のアスペクト比１６：９を有する第２サイズの画像を表示する。左右サイドマスク検出部１は、入力映像信号ｖｉに基づいて、第２サイズの画像中に第１サイズの画像及び同第１サイズの画像の左右に付加される２つの黒や柄帯などの左右サイドマスクがあるか否かを検出する。【００１７】
特に、この実施例では、左右サイドマスク検出部１は、第１サイズの画像と左右サイドマスクとの各境界部分及び近辺の所定の領域について、入力映像信号ｖｉの１の画素の輝度信号レベル（特徴量）と同１の画素の水平方向の一方に隣接する画素の輝度信号レベル（特徴量）との差分絶対値を算出して同各差分絶対値を同入力映像信号ｖｉの垂直方向に累積し、この累積結果に基づいて上記第１サイズの画像及び上記左右サイドマスクの有無を検出する。この場合、左右サイドマスク検出部１は、上記累積結果のピーク値及び平均値を算出し、その差分値が基準値以上で、かつ、同ピーク値が発生した画素の位置が第１サイズの画像と左右サイドマスクとの各境界部分にあると想定される場合に、第２サイズの画像中に第１サイズの画像及び左右サイドマスクがあることを検出して画像検出信号ｖｄを左右サイドマスク検出時定数処理部３へ送出する。【００１８】
左右サイドマスク検出時定数処理部３は、左右サイドマスク検出部１から送出された画像検出信号ｖｄをメモリ２に記憶させ、同メモリ２に記憶されている過去の画像検出信号と同左右サイドマスク検出部１から新たに出力される画像検出信号ｖｄとを比較することにより、同画像検出信号ｖｄが所定時間以上継続して出力されているか否かを判定し、出力されているとき、第１サイズの画像を第２サイズの画像に変換させるための画像変換指示信号ｖｃをスケーラ４へ送出する。スケーラ４は、左右サイドマスク検出時定数処理部３から画像変換指示信号ｖｃが送出されたとき、入力映像信号ｖｉに対応した第１サイズの画像を第２サイズの画像に変換して出力映像信号ｖｊとしてＰＤＰ５へ送出する一方、同画像変換指示信号ｖｃが送出されないとき、入力映像信号ｖｉをそのまま出力映像信号ｖｊとして送出する。【００１９】
図２は、図１中のＰＤＰ５の要部の構造を示す図である。
このＰＤＰ５では、同図２に示すように、表示側となるガラス基板１１上に、図示しない金属のバス電極が積層された透明導電膜からなる面放電電極対１２と、表面に酸化マグネシウム膜が付着された誘電体層１３とが形成され、さらに黒色の格子状のブラックマトリクス１４が画素を確定するように形成されている。裏面側のガラス基板１５上には、データ電極１６と、白色グレーズ層１７と、ストライプ状の白色の隔壁１８とが形成され、同隔壁１８で挟まれた溝の中には３原色（Ｒ，Ｇ，Ｂ、赤，緑，青）の蛍光を発する蛍光体１９が各色毎に塗り分けられている。ガラス基板１１，１５の間には放電ガスが封入されている。また、面放電電極対１２とデータ電極１６との交差領域に表示セルが形成されている。【００２０】
図３及び図４は、左右サイドマスク検出部１の動作を説明する図、及び図５が、左右サイドマスク検出時定数処理部３の動作を説明する図である。
これらの図を参照して、この例のプラズマ表示装置に用いられる画像変換方法の処理内容について説明する。
このプラズマ表示装置では、左右サイドマスク検出部１により、入力映像信号ｖｉに基づいて、第２サイズの画像中に第１サイズの画像及び同第１サイズの画像の左右に付加される左右サイドマスクがあることが所定時間以上継続して検出されたとき、スケーラ４により、同第１サイズの画像が同第２サイズの画像に変換されて出力映像信号ｖｊとしてＰＤＰへ送出される（時定数処理、画像変換処理）。この場合、左右サイドマスク検出部１により、第１サイズの画像と左右サイドマスクとの各境界部分及び近辺の所定の領域について、入力映像信号ｖｉの１の画素の輝度信号レベルと同１の画素の水平方向の一方に隣接する画素の輝度信号レベルとの差分絶対値が算出されて同各差分絶対値が同入力映像信号ｖｉの垂直方向に累積され、この累積結果のピーク値及び平均値が算出され、その差分値が基準値以上で、かつ、同ピーク値が発生した画素の位置が第１サイズの画像と左右サイドマスクとの各境界部分にあると想定される場合に、第２サイズの画像中に第１サイズの画像及び左右サイドマスクがあることが検出される（画像検出処理）。【００２１】
すなわち、入力映像信号ｖｉに対応する画素の位置を座標（ｘ，ｙ）とすると、左右サイドマスク検出部１では、図３に示すように、座標（ｘ，ｙ）の信号レベルが図示しないクロックに同期してフリップフロップ（ＦＦ）に取り込まれて保持され（ステップＡ１）、減算器（−）により、座標（ｘ，ｙ）の信号レベルから水平方向に隣接する画素の位置に対応する座標（ｘ−１，ｙ）の信号レベルが減算されて差分が算出される（ステップＡ２）。そして、絶対値算出部（ＡＢＳ）により、上記差分の絶対値（以下、「差分絶対値」という）が算出される（ステップＡ３）。同様に、座標（ｘ，ｙ）の画素に対して垂直方向に隣接する画素の座標（ｘ，ｙ＋１）の信号レベルがＦＦに取り込まれて保持され（ステップＢ１）、減算器（−）により、座標（ｘ，ｙ＋１）の信号レベルから水平方向に隣接する画素の位置に対応する座標（ｘ−１，ｙ＋１）の信号レベルが減算されて差分が算出される（ステップＢ２）。そして、絶対値算出部（ＡＢＳ）により、差分絶対値が算出される（ステップＢ３）。同様にして、座標（ｘ，ｙ＋１）の画素に対して垂直方向に順次隣接する画素について、差分絶対値が算出される。【００２２】
加算器（累積）により、各差分絶対値が垂直方向に累積（すなわち、［座標（ｘ，ｙ）の信号レベル−座標（ｘ−１，ｙ）の信号レベルの絶対値］＋［座標（ｘ，ｙ＋１）の信号レベル−座標（ｘ−１，ｙ＋１）の信号レベルの絶対値］＋［座標（ｘ，ｙ＋２）の信号レベル−座標（ｘ−１，ｙ＋２）の信号レベルの絶対値］＋…）される（ステップＡ４）。そして、この累積結果の平均値とピーク値とが算出され（ステップＡ５）、同ピーク値と同平均値との差分値が算出される（ステップＡ６）。この差分値がある値より大きく、かつ、図４に示すように、そのピーク値が発生した座標が第１サイズの画像と左側のサイドマスクとの境界部分に存在し、同様に、図示しないピーク値が発生した座標が第１サイズの画像と右側のサイドマスクとの境界部分に存在すると想定される場合（ステップＡ７）、第２サイズの画像中に第１サイズの画像及び左右サイドマスクがある（Ｙｅｓ、サイドマスク）と判定され（ステップＡ８）、一方、ピーク値が発生した座標が第１サイズの画像と左右サイドマスクとの境界部分に存在しないと想定される場合（ステップＡ７）、第２サイズの画像中に第１サイズの画像及び左右サイドマスクがない（Ｎｏ、非サイドマスク）と判定される（ステップＡ９）。【００２３】
左右サイドマスク検出時定数処理部３では、左右サイドマスク検出部１の判定結果が“Ｙｅｓ”のとき（ステップＣ１）、ある一定時間“Ｙｅｓ”が続いたか否かが判定される（ステップＣ２）。一方、左右サイドマスク検出部１の判定結果が“Ｎｏ”のとき（ステップＣ１）、ある一定時間“Ｎｏ”が続いたか否かが判定される（ステップＣ３）。ステップＣ２で“Ｙｅｓ”かつステップＣ３で“Ｎｏ”のとき、最終評価として“サイドマスク”と判定され（ステップＣ４）、画像変換指示信号ｖｃが出力される。一方、ステップＣ２で“Ｎｏ”かつステップＣ３で“Ｙｅｓ”のとき、最終評価として“非サイドマスク”と判定される（ステップＣ５）。スケーラ４では、左右サイドマスク検出時定数処理部３から画像変換指示信号ｖｃが送出されたとき、入力映像信号ｖｉに対応した第１サイズの画像が第２サイズの画像に変換されて出力映像信号ｖｊとしてＰＤＰ５へ送出され、一方、画像変換指示信号ｖｃが送出されないとき、入力映像信号ｖｉがそのまま出力映像信号ｖｊとしてＰＤＰ５へ送出される。【００２４】
以上のように、この第１の実施例では、左右サイドマスク検出部１により、第１サイズの画像と左右サイドマスクとの各境界部分及び近辺の所定の領域について、入力映像信号ｖｉの１の画素の輝度信号レベルと同１の画素の水平方向の一方に隣接する画素の輝度信号レベルとの差分絶対値が算出され、同各差分絶対値が同入力映像信号ｖｉの垂直方向に累積され、この累積結果に基づいて第１サイズの画像及び左右サイドマスクの有無が検出されるので、処理データ量が低減され、回路規模が削減されると共に高速で処理が行われる。また、左右サイドマスク検出時定数処理部３で、左右サイドマスク検出部１からの画像検出信号ｖｄが時定数処理されるので、左右サイドマスクが正確に検出され、不必要にアスペクト比が変わることが防止されると共に、ＰＤＰ５の残像（焼き付き）が防止される。
【実施例２】
【００２５】
図６は、この発明の第２の実施例であるプラズマ表示装置の要部の電気的構成を示すブロック図であり、第１の実施例を示す図１中の要素と共通の要素には共通の符号が付されている。
この例のプラズマ表示装置では、同図６に示すように、図１中の左右サイドマスク検出部１、メモリ２、左右サイドマスク検出時定数処理部３及びスケーラ４に代えて、上下サイドマスク検出部１１、メモリ１２、上下サイドマスク検出時定数処理部１３及びスケーラ１４が設けられている。【００２６】
このプラズマ表示装置では、アスペクト比４：３の表示画面中にアスペクト比１６：９の画像及び上下サイドマスクがある場合、あるいは、アスペクト比１６：９の表示画面中に、さらに上下サイドマスクがある場合、同上下サイドマスクが検出される。すなわち、上下サイドマスク検出部１１により、入力映像信号ｖｉに基づいて、ＰＤＰ５に表示される画像の上下に付加される上下サイドマスクがあるか否かが検出される。特に、この実施例では、上下サイドマスク検出部１１により、ＰＤＰ５に表示される画像と上下サイドマスクとの各境界部分及び近辺の所定の領域について、入力映像信号ｖｉの１の画素の輝度信号レベルと同１の画素の垂直方向の一方に隣接する画素の輝度信号レベルとの差分絶対値が算出されて同各差分絶対値が同入力映像信号ｖｉの水平方向に累積され、この累積結果に基づいて上下サイドマスクの有無が検出される。この場合、上下サイドマスク検出部１１により、上記累積結果のピーク値及び平均値が算出され、その差分値が基準値以上で、かつ、同ピーク値が発生した画素の位置が上記画像と上下サイドマスクとの各境界部分にあると想定される場合に、同画像の上下に上下サイドマスクがあることが検出されてサイドマスク検出信号ｍｄが上下サイドマスク検出時定数処理部１３へ送出される。【００２７】
上下サイドマスク検出部１１から送出されたサイドマスク検出信号ｍｄが上下サイドマスク検出時定数処理部１３を経てメモリ１２に記憶され、同上下サイドマスク検出時定数処理部１３により、同メモリ１２に記憶されている過去のサイドマスク検出信号と同上下サイドマスク検出部１１から新たに出力されるサイドマスク検出信号ｍｄとが比較され、同サイドマスク検出信号ｍｄが所定時間以上継続して出力されているか否かが判定され、出力されているとき、ＰＤＰ５に表示される画像のサイズを同ＰＤＰ５の表示画面のサイズに変換させるための画像変換指示信号ｖｃがスケーラ１４へ送出される。スケーラ１４では、上下サイドマスク検出時定数処理部１３から画像変換指示信号ｖｃが送出されたとき、入力映像信号ｖｉに対応した画像のサイズがＰＤＰ５の表示画面のサイズに変換されて出力映像信号ｖｊとしてＰＤＰ５へ送出される一方、同画像変換指示信号ｖｃが送出されないとき、入力映像信号ｖｉがそのまま出力映像信号ｖｊとして送出される。【００２８】
以上のように、この第２の実施例では、上下サイドマスク検出部１１により、ＰＤＰ５に表示される画像と上下サイドマスクとの各境界部分及び近辺の所定の領域について、入力映像信号ｖｉの１の画素の輝度信号レベルと同１の画素の垂直方向の一方に隣接する画素の輝度信号レベルとの差分絶対値が算出されて同各差分絶対値が同入力映像信号ｖｉの水平方向に累積され、この累積結果に基づいて上下サイドマスクの有無が検出されるので、処理データ量が低減され、回路規模が削減されると共に高速で処理が行われる。また、上下サイドマスク検出時定数処理部１３で、上下サイドマスク検出部１１からのサイドマスク検出信号ｍｄが時定数処理されるので、上下サイドマスクが正確に検出され、不必要にアスペクト比が変わることが防止されると共に、ＰＤＰ５の残像（焼き付き）が防止される。【００２９】
以上、この発明の実施例を図面により詳述してきたが、具体的な構成は同実施例に限られるものではなく、この発明の要旨を逸脱しない範囲の設計の変更などがあっても、この発明に含まれる。
たとえば、入力映像信号としては、アスペクト比が４：３ではあるが上下部分に無画像（マスク部分）が存在する映像信号や、映像の存在する範囲が異なる種々の態様の映像信号がある。これらのアスペクト比が４：３の映像信号を表示する際のモードも種々あり、たとえば、アスペクト比４：３の映像信号を時間軸圧縮（もしくは水平偏向幅を圧縮）して表示するモード、アスペクト比４：３の映像信号における水平方向の左右端部のみ拡大する非線形なモード、アスペクト比４：３の映像信号における垂直方向中央部のアスペクト比１６：９の部分を拡大して表示するモード、アスペクト比４：３の映像信号における垂直方向中央部のアスペクト比１６：９の部分を拡大すると共に映像下部の無画部に存在する字幕を画面内に入れるために下端部を垂直方向に圧縮して表示するモードなどがある（たとえば、特許文献３の段落“０００４”）。アスペクト比１６：９の映像信号についても、同様に、映像の存在する範囲が種々の態様の映像信号が考えられ、これらを種々に加工して表示するモードが考えられる。この発明は、これらの種々の画像変換に適用することができる。【００３０】
また、この発明は、プラズマ表示装置に限らず、たとえば、液晶テレビ、ＤＶＤプレーヤ、ＨＤＤプレーヤに用いられる液晶表示装置など、第１のアスペクト比（４：３）を有する第１サイズの画像及び第２のアスペクト比（１６：９）を有する第２サイズの画像を表示可能な表示パネルを有する画像表示装置全般に適用できる。また、上記第１及び第２の実施例では、サイドマスクの有無は、入力映像信号ｖｉの各画素の特徴量として輝度信号レベルを用いて検出されるようになっているが、同特徴量として、赤，緑，青原色信号の各原色信号レベル又はこれらの加算値、又は、同各原色信号レベルから同輝度信号レベルを減じた各色差信号レベル又はこれらの加算値を用いても良い。
【図１】
2008139542.tif 000003
【図２】
2008139542.tif 000004
【図３】
2008139542.tif 000005
【図４】
2008139542.tif 000006
【図５】
2008139542.tif 000007
【図６】
2008139542.tif 000008
【国際調査報告】
2008139542.tif 000009
2008139542.tif 000010
2008139542.tif 000011
2008139542.tif 000012